(57)【要約】【課題】塗膜の表面における亀裂等の発生を十分に抑制できる外装構造体、その製造方法及びこれに用いるローラ装置を提供すること。【解決手段】複数枚の外装ボード２と、複数枚の外装ボード２のうち隣接する外装ボード２同士を接続するとともに隣接する外装ボード２間の継目６を被覆する継目被覆テープ４と、外装ボード２及び継目被覆テープ４を覆うように設けられる塗膜５とを備える外装構造体１００であって、隣接する外装ボード２のうち塗膜５側で且つ継目６の両側に形成される縁部２ａによって溝３が形成され、継目被覆テープ４が、縁部２ａに接着されて曲がっている曲がり部４ａを有する、外装構造体１００。【選択図】図１
2015014108.tif 000002
【特許請求の範囲】
【請求項１】
複数枚の外装ボードと、
前記複数枚の外装ボードのうち隣接する前記外装ボード同士を接続するとともに隣接する前記外装ボード間の継目を被覆する継目被覆テープと、
前記外装ボード及び前記継目被覆テープを覆うように設けられる塗膜とを備える外装構造体であって、
隣接する前記外装ボードのうち前記塗膜側で且つ前記継目の両側に形成される縁部によって溝が形成され、
前記継目被覆テープが、前記縁部に接着されて曲がっている曲がり部を有する、外装構造体。
【請求項２】
前記溝がＶ溝であり、前記曲がり部がＶ字状に折れ曲がっている請求項１に記載の外装構造体。
【請求項３】
複数枚の外装ボードと、
前記複数枚の外装ボードのうち隣接する前記外装ボード同士を接続するとともに隣接する前記外装ボード間の継目を被覆する継目被覆テープと、
前記外装ボード及び前記継目被覆テープを覆うように設けられる塗膜とを備える外装構造体の製造方法であって、
前記複数枚の外装ボードを、設置面上に、隣接する前記外装ボードのうち前記設置面と反対側で且つ前記継目の両側に形成される縁部によって溝が形成されるように配置する外装ボード配置工程と、
前記継目被覆テープを、前記複数枚の外装ボードのうち隣接する前記外装ボード同士を接続するとともに隣接する前記外装ボード間の継目を覆うように前記外装ボードに接着する接着工程と、
前記外装ボード及び前記継目被覆テープを覆うように前記塗膜を形成する塗膜形成工程とを含み、
前記接着工程において、前記継目被覆テープが、隣接する前記外装ボードのうち前記設置面と反対側で且つ前記継目の両側に形成される前記縁部に接着されて曲がる曲がり部を有するように前記外装ボードに接着される、外装構造体の製造方法。
【請求項４】
前記接着工程において、円筒状の本体部と、前記本体部の外周面上に突出して設けられる突出部とを有するローラを備えたローラ装置を用い、前記ローラ装置の前記ローラを、前記突出部を前記溝に差し込んだ状態で前記継目被覆テープに押し付けながら前記溝に沿って回転移動させることにより、前記継目被覆テープを前記外装ボードに接着する、請求項３に記載の外装構造体の製造方法。
【請求項５】
前記ローラ装置における前記ローラの硬度が前記外装ボードの硬度よりも小さい、請求項４に記載の外装構造体の製造方法。
【請求項６】
隣接する外装ボード同士を接続するとともに隣接する外装ボード間の継目を被覆する継目被覆テープを前記外装ボードに接着させるためのローラ装置であって、
円筒状の本体部と、
前記本体部の外周面上に突出して設けられ、隣接する前記外装ボードのうち前記継目の両側の縁部によって形成される溝に差し込むための突出部と、
を有するローラを備えるローラ装置。
【発明の詳細な説明】
【技術分野】
【０００１】
本発明は、外装構造体、その製造方法及びこれに用いるローラ装置に関する。
【背景技術】
【０００２】
外装構造体は、建築物の外壁の壁面上に配設されるものであり、壁面上に配置される複数枚の外装ボードと、外装ボードに対し壁面と反対側の表面上に設けられる塗膜とを備えている。ここで、隣接する外装ボード同士間には継目が形成されているのが一般的である。しかし、継目の上に直接塗膜が設けられると、塗膜には、継目の形状が反映されることがある。このため、近年では、外装構造体は、塗膜と外装ボードとの間に、隣り合う外装ボード同士間の継目を覆うように、且つ継目を形成する外装ボードを接続するように継目被覆テープをさらに備えることがある。
【０００３】
このような外装構造体として、例えば下記特許文献１に記載のものが知られている。この特許文献１には、継目処理テープを平面状に設けた外装構造体が開示されており、この外装構造体によって、温度や湿度の変動により外装ボードが伸縮したり、振動などにより外装ボードの端縁部間の間隔が変動しても、継目処理テープが切断されたり破損されたりすることがなく、その結果、塗膜にひび割れ等の亀裂が生じる可能性が低減されることが記載されている。
【先行技術文献】
【特許文献】
【０００４】
【特許文献１】特許第３７２２６１３号公報
【発明の概要】
【発明が解決しようとする課題】
【０００５】
しかし、上記特許文献１に記載の外装構造体は、以下に示す課題を有していた。
【０００６】
すなわち、上記特許文献１に記載の外装構造体は、塗膜に生じる亀裂の抑制の点で未だ改善の余地があった。
【０００７】
本発明は上記事情に鑑みてなされたものであり、塗膜に生じる亀裂の発生を十分に抑制できる外装構造体、その製造方法及びこれに用いるローラ装置を提供することを目的とする。
【課題を解決するための手段】
【０００８】
本発明者らは、上記課題を解決するため鋭意検討した結果、以下のことを考えた。すなわち、まず外装構造体は外壁の壁面上に配設される。このとき、例えば壁面が、地震などによって外装構造体側に凸となるように変形することも考えられる。この場合、特許文献１の外装構造体においては、隣接する外装ボードのうち継目処理テープと接着している縁部が、継目処理テープに突き当たる。このとき、継目処理テープが平面状になっているため、隣接する外装ボードのうち継目処理テープと接着している縁部が継目処理テープをさらに突き上げると、継目処理テープがすぐに伸びきってしまい、継目処理テープに対し比較的早期に過大な応力がかかるおそれがある。この場合、壁面の変形度合いによっては、継目処理テープが耐えきれずに切断され、その結果、塗膜に過大な応力がかかり、塗膜に亀裂が発生するおそれがある。従って、このような事態においても塗膜における亀裂の発生を十分に抑制できる外装構造体の開発が望まれる。そこで、本発明者らは、更に鋭意検討を重ねた結果、以下の発明により上記課題を解決し得ることを見出した。
【０００９】
すなわち本発明は、複数枚の外装ボードと、前記複数枚の外装ボードのうち隣接する前記外装ボード同士を接続するとともに隣接する前記外装ボード間の継目を被覆する継目被覆テープと、前記外装ボード及び前記継目被覆テープを覆うように設けられる塗膜とを備える外装構造体であって、隣接する前記外装ボードのうち前記塗膜側で且つ前記継目の両側に形成される縁部によって溝が形成され、前記継目被覆テープが、前記縁部に接着されて曲がっている曲がり部を有する、外装構造体である。
【００１０】
本発明の外装構造体は、塗膜を外壁と反対側に向けた状態で外壁の壁面に配設される。この場合、壁面が外装構造体側に凸となるように変形しても、継目被覆テープが曲がり部を有するため、平面状である場合に比べて、継目被覆テープの曲がり部が伸びきるまでに十分な余裕がある。このため、継目被覆テープに対し直ちに過大な応力が加わりにくい。従って、継目被覆テープが切断されることが十分に抑制される。このため、塗膜に急激に過大な応力が加わることが十分に抑制され、塗膜において亀裂が生じることを十分に抑制することができる。
【００１１】
上記外装構造体においては、前記溝がＶ溝であり、前記曲がり部がＶ字状に折れ曲がっていることが好ましい。
【００１２】
この場合、隣接する外装ボード同士間でその厚さ方向にずれが生じても、溝を形成する縁部間に生じる段差が塗膜表面に反映されることが十分に抑制され、外装構造体の塗膜表面における外観不良の発生を十分に抑制することができる。
【００１３】
また本発明は、複数枚の外装ボードと、前記複数枚の外装ボードのうち隣接する前記外装ボード同士を接続するとともに隣接する前記外装ボード間の継目を被覆する継目被覆テープと、前記外装ボード及び前記継目被覆テープを覆うように設けられる塗膜とを備える外装構造体の製造方法であって、前記複数枚の外装ボードを、設置面上に、隣接する前記外装ボードのうち前記設置面と反対側で且つ前記継目の両側に形成される縁部によって溝が形成されるように配置する外装ボード配置工程と、前記継目被覆テープを、前記複数枚の外装ボードのうち隣接する前記外装ボード同士を接続するとともに隣接する前記外装ボード間の継目を覆うように前記外装ボードに接着する接着工程と、前記外装ボード及び前記継目被覆テープを覆うように前記塗膜を形成する塗膜形成工程とを含み、前記接着工程において、前記継目被覆テープが、隣接する前記外装ボードのうち前記設置面と反対側で且つ前記継目の両側に形成される前記縁部に接着されて曲がる曲がり部を有するように前記外装ボードに接着される、外装構造体の製造方法である。
【００１４】
この製造方法によれば、塗膜において亀裂が生じることを十分に抑制することができる外装構造体を製造することができる。
【００１５】
上記接着工程においては、円筒状の本体部と、前記本体部の外周面上に突出して設けられる突出部とを有するローラを備えたローラ装置を用い、前記ローラ装置の前記ローラを、前記突出部を前記溝に差し込んだ状態で前記継目被覆テープに押し付けながら前記溝に沿って回転移動させることにより、前記継目被覆テープを前記外装ボードに接着することが好ましい。
【００１６】
この場合、ローラ装置のローラの突出部を溝に差し込んだ状態で溝に沿って回転移動させるので、ローラを回転移動させている途中で、ローラが溝に沿った方向からずれることがより十分に抑制される。このため、ローラが突出部を有しない場合に比べて、継目被覆テープを、溝を形成する縁部に、作業者の熟練度を要することなく且つ容易に密着させることができる。
【００１７】
上記製造方法においては、前記ローラ装置における前記ローラの硬度が前記外装ボードの硬度よりも小さいことが好ましい。
【００１８】
この場合、ローラの硬度が外装ボードの硬度よりも小さい。別言すると、ローラは、外装ボードに対して相対的に軟らかい。このため、ローラの突出部が溝の形状に対して相補的な形状になっていなくても、ローラを、突出部を溝に差し込んだ状態で継目被覆テープに押し付けると、突出部を溝の形状に対して相補的な形状又はそれに近い形状に変形させることが可能となる。言い換えると、突出部を、溝に隙間なく収容させることができる。このため、溝の延び方向に沿って、継目被覆テープと縁部との間における密着をより十分に行うことができる。このため、継目被覆テープと溝を形成する縁部との間に気泡が入りこむことが十分に抑制される。従って、得られる外装構造体が高温環境下に置かれた際、気泡の膨張によって継目被覆テープが局所的に突出することが十分に抑制され、ひいては塗膜表面の一部が局所的に突出することが十分に抑制される。
【００１９】
また本発明は、隣接する外装ボード同士を接続するとともに隣接する外装ボード間の継目を被覆する継目被覆テープを前記外装ボードに接着させるためのローラ装置であって、円筒状の本体部と、前記本体部の外周面上に突出して設けられ、隣接する前記外装ボードのうち前記継目の両側の縁部によって形成される溝に差し込むための突出部と、を有するローラを備えるローラ装置である。
【００２０】
このローラ装置は、隣接する外装ボードを接続するとともに隣接する外装ボード間の継目を被覆する継目被覆テープを外装ボードに接着させる場合に有用である。すなわち、本発明のローラ装置は、ローラを、その突出部を溝に差し込んだ状態で継目被覆テープに押し付けながら溝に沿って回転移動させると、ローラを回転移動させている途中で、ローラが溝に沿った方向からずれることがより十分に抑制される。このため、ローラが突出部を有しない場合に比べて、継目被覆テープを、短時間で効率よく外装ボードに接着させることができる。
【発明の効果】
【００２１】
本発明によれば、塗膜の表面における亀裂の発生を十分に抑制できる外装構造体、その製造方法及びこれに用いるローラ装置が提供される。
【図面の簡単な説明】
【００２２】
【図１】本発明の外装構造体の一実施形態を示す部分切断面端面図である。
【図２】本発明のローラ装置の一実施形態を示す正面図である。
【図３】本発明の外装構造体の製造方法の一工程を示す部分切断面端面図である。
【図４】図３の外装構造体の製造方法に用いる継目被覆テープを備えた積層体を示す断面図である。
【図５】本発明の外装構造体の製造方法の一工程を示す部分切断面端面図である。
【図６】本発明の外装構造体の製造方法の一工程を示す部分切断面端面図である。
【発明を実施するための形態】
【００２３】
以下、本発明の外装構造体について図１を参照しながら詳細に説明する。図１は、本発明の外装構造体の好適な実施形態を示す部分切断面端面図である。
【００２４】
図１に示すように、外装構造体１００は、外壁１の壁面１ａ上に設置されるものであり、壁面１ａ上に平面状に配列される複数枚の外装ボード２と、複数枚の外装ボード２のうち隣接する外装ボード２同士を接続するとともに隣接する外装ボード２間の継目６を被覆する継目被覆テープ４と、外装ボード２及び継目被覆テープ４を覆うように設けられる塗膜５とを備えている。そして、隣接する外装ボード２のうち塗膜５側で且つ継目６の両側に形成される縁部２ａによってＶ溝３が形成されている。ここで、縁部２ａは、本実施形態では平坦面となっている。そして、継目被覆テープ４は、縁部２ａに接着されてＶ字状に折れ曲がっている曲がり部４ａと、曲がり部４ａの両縁部に設けられ、外装ボード２の塗膜５側の表面２ｂに接着される平坦部４ｂとで構成されている。
【００２５】
次に、外装構造体１００の作用効果について説明する。
【００２６】
外装構造体１００は、塗膜５を外壁１と反対側に向けた状態で外壁１の壁面１ａ上に配設される。この場合、壁面１ａが外装構造体１００側に凸となるように変形しても、継目被覆テープ４が曲がり部４ａを有するため、平面状である場合に比べて、継目被覆テープ４の曲がり部４ａが伸びきるまでに十分な余裕がある。このため、継目被覆テープ４に対し直ちに過大な応力が加わりにくい。従って、継目被覆テープ４が切断されることが十分に抑制される。このため、塗膜５に急激に過大な応力が加わることが十分に抑制され、塗膜５において亀裂が生じることを十分に抑制することができる。
【００２７】
また外装構造体１００では、継目被覆テープ４が、曲がり部４ａの両縁部にそれぞれ平坦部４ｂを有している。このため、継目被覆テープ４が平坦部４ｂを有しない場合に比べて、外装ボード２との接着面積を増加させることができ、継目被覆テープ４が外装ボード２から剥離することを十分に抑制することができる。
【００２８】
さらに外装構造体１００では、隣接する外装ボード２同士間の継目６の両側の縁部２ａによって形成される溝がＶ溝３となっており、継目被覆テープ４の曲がり部４ａがＶ字状に折れ曲がっている。このため、隣接する外装ボード２同士間でその厚さ方向にずれが生じても、Ｖ溝３を形成する縁部２ａ間に生じる段差が塗膜５の表面に反映されることが十分に抑制され、外装構造体１００の塗膜５の表面における外観不良の発生を十分に抑制することができる。
【００２９】
次に、上記外装ボード２、継目被覆テープ４及び塗膜５について詳細に説明する。
【００３０】
（外装ボード）
外装ボード２としては、例えばセメントなどからなるものを用いることができる。対向する縁部２ａ（平坦面）同士の交差角は１８０°未満であれば特に制限されるものではないが、３０〜１２０°であることが好ましく、４５〜９０°であることがより好ましい。またＶ溝３の深さは、特に制限されるものではないが、外装ボード２の厚さの０より大きく５／１４以下であることが好ましい。外装ボード２の塗膜５側の表面２ｂは、図１では平坦面として示されているが、表面２ｂには凹凸模様が形成されていてもよい。
【００３１】
（継目被覆テープ）
継目被覆テープ４は通常、粘着剤で構成される。上記粘着剤は、例えばアクリル樹脂、ポリ酢酸ビニル等を含む。上記粘着剤の厚さは、例えば５〜５０μｍであればよい。
【００３２】
曲がり部４ａのなす角はＶ溝３のなす角と同一である。すなわち、曲がり部４ａのなす角θは１８０°未満であれば特に制限されるものではないが、３０〜１２０°であることが好ましく、４５〜９０°であることがより好ましい。
【００３３】
（塗膜）
塗膜５は通常、継目被覆テープ４よりも小さい伸び率を有することが好ましい。ここで、塗膜５の伸び率とは、ＪＩＳ  Ｋ  ４００の塗料一般試験方法に従う塗膜の伸び率測定法に準拠された値を言う。塗膜５の伸び率と継目被覆テープ４の伸び率との差は、２５〜９５％であることが好ましい。塗膜５は、アクリルシリコン樹脂、アクリル樹脂などのベース樹脂を含む。塗膜５は、ベース樹脂のほか、必要に応じて、着色顔料、体質顔料などの顔料を含んでもよい。さらに、塗膜５は、可塑剤、防腐剤、消泡剤、レベリング剤、顔料分散剤、沈降防止剤、たれ防止剤、紫外線吸収剤などの各種添加剤を含んでいてもよい。
【００３４】
次に、上述した外装構造体１００の製造方法について図２〜図６を参照して説明する。
【００３５】
まず外装構造体１００の製造方法の説明に先立ち、外装構造体１００の製造方法に用いるローラ装置について図２を用いて説明する。図２は、外装構造体１００の製造に用いるローラ装置の好適な実施形態を示す正面図である。
【００３６】
図２に示すように、ローラ装置２０は、ローラ２１と、ローラ２１を回転可能に固定する固定部２２とを備えている。ローラ２１は、円筒状の本体部２３と、本体部２３の外周面上に設けられる環状の突出部２４とを有しており、本体部２３には、その延び方向に沿って貫通孔２３ａが形成されている。固定部２２は、棒状のハンドル２５と、ハンドル２５の一端とローラ２１とを接続するＬ字型の接続部２６と、接続部２６に固定され、本体部２３の貫通孔２３ａを貫通する回転軸２７とを有している。本実施形態では、回転軸２７の一端が固定ねじ２８ａによって接続部２６に固定され、回転軸２７の他端には、接続部２６とともにローラ２１を挟むように固定ねじ２８ｂが固定されている。固定ねじ２８ｂは、ローラ２１が回転軸２７から脱落するのを防止するためのものである。
【００３７】
次に、外装構造体１００の製造方法について図３〜図６を参照しながら説明する。図３、図５〜図６は、本発明の外装構造体の製造方法の一連の工程を示す部分切断面端面図、図４は、図３の外装構造体の製造方法に用いる継目被覆テープを備えた積層体を示す断面図である。
【００３８】
まず複数枚の外装ボード２を用意する。そして、図３に示すように、これらの外装ボード２を、外壁１の壁面１ａ上に平面状に並べる。このとき、隣接する外装ボード２の間の継目６の両側に形成される縁部２ａによってＶ溝３が形成されるように複数枚の外装ボード２を配置する（外装ボード配置工程）。
【００３９】
次に、図４に示すように、継目被覆テープ４と継目被覆テープ４を支持する支持部材１１との積層体１０を用意する。続いて、この積層体１０を、継目６を覆うように配置する。このとき、継目被覆テープ４をＶ溝３側に向け、支持部材１１は、Ｖ溝３とは反対側に向けるようにする。またこの継目被覆テープ４の両縁部を外装ボード２の表面２ｂに接着させる。
【００４０】
次に、積層体１０を、支持部材１１側から継目６に沿って押し付ける。本実施形態では、積層体１０の押付けはローラ装置２０を用いて行う。具体的には以下のようにして積層体１０の押付けが行われる。
【００４１】
まずローラ装置２０のハンドル２５を握り、図５に示すように、ローラ装置２０のローラ２１をＶ溝３上に配置する。このとき、ローラ２１の突出部２４で継目被覆テープ４をＶ溝３に向かって押し付けて凹ませる。こうして、ローラ２１の突出部２４を、外壁１の壁面１ａと反対側にあるＶ溝３に差し込む。そして、この状態で、ローラ２１を積層体１０の支持部材１１に押し付けながらＶ溝３に沿って回転移動させる。
【００４２】
次に、支持部材１１を継目被覆テープ４から剥離させる。こうして、図６に示すように、継目被覆テープ４の両縁部は平坦部４ｂとなり、平坦部４ｂの間の部分は、Ｖ溝３を形成する縁部２ａに接着されて曲がり、曲がり部４ａとなる。
【００４３】
なお、支持部材１１を継目被覆テープ４から剥離させた後、ローラ装置２０を用いて積層体１０を押し付けたときと同様に、さらに継目被覆テープ４の押付けを、ローラ装置２０を用いて行ってもよい。
【００４４】
こうして、継目被覆テープ４が、複数枚の外装ボード２のうち隣接する外装ボード２同士を接続するとともに隣接する外装ボード２間の継目６を覆うように外装ボード２に接着される（接着工程）。
【００４５】
最後に、外装ボード２及び継目被覆テープ４を覆うように塗膜５を形成する（塗膜形成工程）。
【００４６】
塗膜５は、例えば塗料を外装ボード２及び継目被覆テープ４を覆うように塗布した後、乾燥させることによって得ることができる。
【００４７】
以上のようにして、外装構造体１００の製造が完了する。
【００４８】
こうして外装構造体１００を製造すると、塗膜５において亀裂が生じることを十分に抑制することができる外装構造体１００を製造することができる。
【００４９】
また、ローラ装置２０を用いて積層体１０の押付けを行うため、ローラ装置２０のローラ２１の突出部２４をＶ溝３に差し込んだ状態でＶ溝３に沿って回転移動させるので、ローラ２１を回転移動させている途中で、ローラ２１がＶ溝３に沿った方向からずれることがより十分に抑制される。このため、ローラ２１が突出部２４を有しない場合に比べて、継目被覆テープ４を、Ｖ溝３を形成する縁部２ａに、作業者の熟練度を要することなく且つ容易に密着させることができる。
【００５０】
ここで、上述したローラ装置２０について詳細に説明する。
【００５１】
（ローラ）
ローラ２１の硬度は特に制限されるものではないが、外装ボード２よりも小さい硬度を有するものが好ましい。この場合、ローラ２１の硬度が外装ボード２の硬度よりも小さい。別言すると、ローラ２１は、外装ボード２に対して相対的に軟らかい。このため、ローラ２１の突出部２４がＶ溝３の形状に対して相補的な形状になっていなくても、ローラ２１を、突出部２４をＶ溝３に差し込んだ状態で継目被覆テープ４に押し付けると、突出部２４をＶ溝３の形状に対して相補的な形状又はそれに近い形状に変形させることが可能となる。言い換えると、突出部２４を、Ｖ溝３に隙間なく収容させることができる。このため、Ｖ溝３の延び方向に沿って、継目被覆テープ４と縁部２ａとの間における密着をより十分に行うことができる。従って、継目被覆テープ４とＶ溝３を形成する縁部２ａとの間に気泡が入りこむことが十分に抑制される。従って、得られる外装構造体１００が高温環境下に置かれた際、気泡の膨張によって継目被覆テープ４が局所的に突出することが十分に抑制され、ひいては塗膜５の表面の一部が局所的に突出することが十分に抑制される。
【００５２】
ローラ２１の突出部２４は、本体部２３の外周面から離れるにつれて先細る形状を有することが好ましい。この場合、ローラ２１の突出部２４をＶ溝３に差し込みやすくなり、Ｖ溝３を形成する縁部２ａに対する継目被覆テープ４の曲がり部４ａの密着性をより向上させることができる。ローラ２１の突出部２４の本体部２３の外周面からの高さは、突出部２４をＶ溝３に差し込んだときに、Ｖ溝３の底に突出部２４の先端部が届く高さ以上であればよい。
【００５３】
またローラ２１の突出部２４が、本体部２３の外周面から離れるにつれて先細る形状を有する場合、突出部２４は、環状の先端部と本体部２３の外周面とを結ぶ第１面と、第１面と交差し、環状の先端部と本体部２３の外周面とを結ぶ第２面とで構成される。ここで、第１面と第２面とのなす角は、Ｖ溝３を形成する縁部２ａ同士の交差角以下であることが好ましい。この場合、圧着の効率が上がるという利点が得られる。
【００５４】
ローラ２１を構成する材料としては、具体的にはシリコーン樹脂、エポキシ樹脂などを用いることができる。
【００５５】
（ハンドル）
ハンドル２５を構成する材料としては、例えば木材、金属などを用いることができる。これらのうち、軽量化を図り、作業者の作業負担を軽減する観点からは、木材が好ましい。
【００５６】
（接続部）
接続部２６を構成する材料としても、例えば木材や金属が用いられる。これらのうち、強度及びローラ装置２０の長寿命化の観点からは、金属が好ましく用いられる。特に、金属としては、ステンレスが用いられる。
【００５７】
本発明は、上記実施形態に限定されるものではない。例えば上記実施形態では、継目被覆テープ４が、曲がり部４ａと平坦部４ｂとで構成されているが、曲がり部４ａのみで構成されていてもよい。また曲がり部４ａは、Ｖ溝３を形成する平坦面からなる縁部２ａの全体を覆う必要は必ずしもなく、一部のみを覆っていてもよい。
【００５８】
また、上記実施形態では、溝がＶ溝３となっているが、溝はＶ溝３に限定されるものでないことはもちろんである。例えば上記実施形態では、Ｖ溝３を形成する縁部２ａが平坦面となっているが、この平坦面は、例えば湾曲面であってもよい。
【００５９】
また上記実施形態では、ローラ装置２０において、回転軸２７に接続部２６が固定され、その接続部２６にハンドル２５が固定されているが、接続部２６を省略し、ハンドル２５を回転軸２７の両端にそれぞれ設けることも可能である。
【００６０】
さらに上記実施形態では、外装構造体１００を製造する際、継目被覆テープ４の押付けにローラ装置２０が用いられているが、ローラ装置２０は必ずしも必要なものではない。例えば作業者が手で継目被覆テープ４の押付けを行ってもよい。
【実施例】
【００６１】
以下、実施例及び比較例を挙げて本発明の内容をより具体的に説明するが、本発明は、以下の実施例に限定されるものではない。
【００６２】
（実施例１）
まず３０ｃｍ×１５ｃｍ×１.４ｃｍの寸法を有する外装ボードを１０枚用意した。この外装ボードとしては、模様が形成されている側の表面の縁部が平坦面となっているものを用いた。ここで、模様が形成されている側の表面に対する縁部の傾斜角度は６０°とした。そして、これらの外装ボードを、平坦な壁面上に平面状に並べた。このとき、隣接する外装ボードの間の継目の両側に形成される平坦面（傾斜面）によってＶ溝が形成されるように外装ボードを配置した。このとき、Ｖ溝を形成する２つの平坦面の交差角は６０°であった。またＶ溝の深さは３ｍｍであった。
【００６３】
次に、厚さ２００μｍの継目被覆テープと、継目被覆テープを支持する厚さ５０μｍの支持部材との積層体を用意した。このとき、継目被覆テープは、アクリル樹脂で構成し、支持部材は、ＰＥＴ（ポリエチレンテレフタレート樹脂）で構成した。続いて、この積層体を、隣接する外装ボード間の継目を覆うように配置した。このとき、継目被覆テープをＶ溝側に向け、支持部材は、Ｖ溝とは反対側に向けた。またこの継目被覆テープの両縁部を外装ボードの表面に接着させた。
【００６４】
次に、図２に示す構成を有するローラ装置を用意した。ローラ装置において、ローラ、接続部、及び、ハンドルは以下のように構成した。
（１）ローラ
材質：シリコンゴム
直径：４５ｍｍ
貫通孔の直径：７ｍｍ
本体部の長さ：４５ｍｍ
突出部の本体部外周面からの高さ：４ｍｍ
突出部の先端部のなす角：５５°
（２）接続部
材質：ステンレス
（３）ハンドル
材質：木
形状：円柱状
長さ：１２ｃｍ
最大直径：２.２ｃｍ
（４）回転軸
材質：ステンレス
長さ：３５ｃｍ
直径：３.５ｍｍ
【００６５】
そして、上記ローラ装置を用いて、積層体を、支持部材側から継目に沿って押し付けた。具体的には以下のようにして積層体の押付けを行った。
【００６６】
まずローラ装置のハンドルを握り、ローラ装置のローラをＶ溝上に配置した。このとき、ローラの突出部で継目被覆テープをＶ溝に向かって押し付けて凹ませた。こうして、ローラの突出部を、壁面と反対側にあるＶ溝に差し込んだ。そして、この状態で、ローラを積層体の支持部材に押し付けながらＶ溝に沿って回転移動させた。
【００６７】
次に、支持部材を継目被覆テープから剥離させた。支持部材を継目被覆テープから剥離させた後も、ローラ装置を用いて積層体を押し付けたときと同様に、さらに継目被覆テープの押付けを、上記ローラ装置を用いて行った。
【００６８】
こうして、継目被覆テープを、隣り合う２つの外装ボードの表面にそれぞれ接着される２つの平坦部と、２つの平坦部の間にあってＶ溝を形成する２つの平坦面に接着される曲がり部とで構成されるようにした。
【００６９】
こうして、継目被覆テープを、複数枚の外装ボードのうち隣接する外装ボード同士を接続するとともに隣接する外装ボード間の継目を覆うように外装ボードに接着した。
【００７０】
そして、アクリル樹脂エマルション７４．０質量部（旭化成ケミカルズ株式会社製、商品名：ポリデュレックスＧ６２４）、造膜助剤１．０質量部（イースト マンケミカル ジャパン株式会社製、商品名：テキサノール）、分散剤０．５質量部（サンノプコ株式会社製、商品名：ノプコスパース４４Ｃ）、消泡剤０．２質量部（旭電化株式会社製、商品名：アデカネートＢ−１９０）、増粘剤０．６質量部（フジケミカル株式会社製、ヒドロキシエチルセルロース）、二酸化チタン２４質量部を、容器中で攪拌機にて混合攪拌して塗料を用意し、この塗料を、外装ボード及び継目被覆テープを覆うように塗布した後、２３℃で３３６時間乾燥させた。こうして外装ボード及び継目被覆テープを覆うように塗膜を形成した。
【００７１】
以上のようにして外装構造体を作製した。
【００７２】
（比較例１）
外装ボードとして、模様が形成されている側の表面の縁部が、その表面と平行な平坦面となっているものを用いることにより、隣接する外装ボード間で継目の両側に溝が形成されないようにするととともに、継目被覆テープを、手作業で平面上に外装ボードに接着させたこと以外は実施例１と同様にして外装構造体を作製した。
【００７３】
上記実施例１及び比較例１で得られた外装構造体について、塗膜が折れ曲がるようにして壁面が外装構造体側に凸となるように変形させた。この変形動作を繰り返し１０回行った。そして、外装構造体の塗膜表面を観察したところ、実施例１の外装構造体では、塗膜表面に亀裂は認められなかった。これに対し、比較例１の外装構造体では、塗膜表面に亀裂が認められた。
【００７４】
従って、本発明の外装構造体によれば、塗膜に生じる亀裂の発生を十分に抑制できることが確認された。
【符号の説明】
【００７５】
１…壁面
２…外装ボード
２ａ…縁部
３…Ｖ溝（溝）
４…継目被覆テープ
５…塗膜
２０…ローラ装置
２１…ローラ
２３…本体部
２４…突出部
１００…外装構造体
【図１】
2015014108.tif 000003
【図２】
2015014108.tif 000004
【図３】
2015014108.tif 000005
【図４】
2015014108.tif 000006
【図５】
2015014108.tif 000007
【図６】
2015014108.tif 000008